(57)【要約】【課題】刈取機の回転刈刃は、刈取アームの先端部下側にナイフプレートとして取付ボルトによって締め付けて取り付けられる形態では、この取付ボルトのボルト頭部が、刈取り地面や、石礫、刈取株等に接触摺動して、磨耗損傷することが多い。【解決手段】ナイフプレート１取付部４に取付ボルト６を挿通する取付穴３を形成し、この取付ボルト３の外周部に下側へ向けて突出する凸条部２を形成して、この取付部４に該取付ボルト６のボルト頭部７を受けて締付けて取付ける。ナイフプレート１の刈取り回転時、ボルト頭部７が凸条部７の回転の後側に位置するため、接地等による磨耗損傷を少なくして、取付ボルト６の耐久性を高める。【選択図】図１
2009284818.tif 000002
【特許請求の範囲】
【請求項１】
ナイフプレート（１）の取付部（４）に取付ボルト（６）を挿通する取付穴（３）を形成し、この取付穴（３）の外周部に下側へ向けて突出する凸条部（２）を形成して、この取付部（４）に該取付ボルト（６）のボルト頭部（７）を受けて締付け可能とすることを特徴とする草刈機の刈刃。
【発明の詳細な説明】
【技術分野】
【０００１】
この発明は、畦や、傾斜地等の芝草を刈取る草刈機の刈刃に関するもので、刈刃の形状による簡単な構成によって、回転する刈取アーム対するこの刈刃のボルト締め取付の耐久性を高めるものである。
【背景技術】
【０００２】
高速回転する刈取軸の刈取りアームに対する刈刃の取付は、平板形態の刈取アーム面に対して、小さいプレート形態の刈刃を重合させて、これら両者間にわたって形成の取付穴に、取付ボルトを挿通して取付ける形態の技術（例えば、特許文献１参照）が知られている。
【特許文献１】特開２００８−３５７１８号公報
【発明の開示】
【発明が解決しようとする課題】
【０００３】
草刈機にあっては、高速回転の刈刃が刈取地面に接近して回転しながら、草木類を切断するものであるから、この刈刃は土壌面や、石礫等との接触、摩擦抵抗によって、磨耗、損傷を受け易い。特に、刈刃の底面に取付ボルトを有する形態では、この取付ボルトの頭部が磨耗すると、刈刃が外れたり、飛散することがある。
【課題を解決するための手段】
【０００４】
請求項１に記載の発明は、ナイフプレート１の取付部４に取付ボルト６を挿通する取付穴３を形成し、この取付穴３の外周部に下側へ向けて突出する凸条部２を形成して、この取付部４に該取付ボルト６のボルト頭部７を受けて締付け可能に構成したものである。このナイフプレート１を刈取アーム９の先端部下面に取り付けて、この刈取アーム９を刈取軸の周りに高速回転駆動して草刈作用を行う。このナイフプレート１が刈取り地面に接近して回転するとき、下側のボルト頭部７が、このナイフプレート１の取付部４の下面外周部に形成の凸条部２の回転方向後側位に位置して、回転による刈取地面等との接触摩擦抵抗等を受けることが少ない。特に、この取付部４面に受けられるボルト頭部７の基部位置は、摩擦抵抗を受け難く、ナイフプレート１の取付状態を長期期間維持することができる。
【発明の効果】
【０００５】
請求項１に記載の発明は、ナイフプレート１を刈取アーム９の下面に取付けるボルト頭部７を、このナイフプレート１下面の取付部４外周部に形成の凸条部２の回転方向後側部に位置させて、この取付ボルト６の回転接地抵抗によるボルト頭部７の磨耗を少なくすることができ、ナイフプレート１の取付状態を長期間安定的に維持することができ、ナイフプレート１の下面の凸条形態、乃至凹曲状形態等の形状形成によるため、構成を簡潔にして、安価にすることができる。
【発明を実施するための最良の形態】
【０００６】
本発明の草刈機の刈刃を乗用草刈機に装着した例にて説明する。図４に示すように、車体２０の腹部に刈取デッキ２１を設け、その中央部に刈取軸２２を軸装して、車体２０後部のエンジン２３からＶベルト２４を介して伝動する。刈取デッキ２１の下側には、上下方向に設けられる刈取軸の下端部に刈取アーム９を取り付け、この刈取アームの回転外周部にナイフプレート１を配置して取付ける。この各ナイフプレート１の取付部４に取付ボルト６を挿通する取付穴３を形成し、この取付穴３の外周部に下側へ向けて突出する凸条部２を形成して、この取付部４に該取付ボルト６のボルト頭部７を受けて締付け可能とする。ナイフプレート１を刈取アーム９の先端部下面に取付けて、この刈取アーム９を回転駆動して草刈作用を行う。このナイフプレート１が刈取地面に接近して回転するとき、このボルト頭部７が、このナイフプレート１の取付部４の下面外周部に形成の凸条部２の後側に位置して、回転による刈取地面等との接触摩擦抵抗等を受けることが少ない。特に、この取付部４面に受けられるボルト頭部７の基部は、摩擦抵抗を受け難く、ナイフプレート１の取付状態を長期期間維持することができる。
【０００７】
図１から図３に基づいて、ナイフプレート１は、略矩形状形態のプレートによって構成する。この基部を取付部４として、取付ボルト６を通す角型の取付穴３を形成し、先端部一側縁に沿って刃縁１０を形成する。このナイフプレート１の前記取付穴３周りの取付部４を上面側へ適宜高さに凸面８を膨出湾曲させて、下側面に凹面５を形成する。この凹面５はナイフプレート１の後端に向けて開口するＵ字形態の窪み、乃至溝形態に形成して、この取付部４の下面にボルト頭部７を受けることができる。このようにして形成される凹曲取付部４の左右両側肩部を段付形態の凸条部２として形成している。
【０００８】
前記刈取アーム９は、草刈機の刈取デッキ２１に軸装された刈取軸２２の下端部に取付けられて、回転伝動される。この刈取アーム９の先端下側にナイフプレート１を取付ボルト６によって取付けて、このナイフプレート１の刈取地面に沿う回転によって、草類の刈取を行うものである。この刈取アーム９の先端部には取付穴１１を形成して、カラー１２を嵌合している。この刈取アーム９の下側にナイフプレート１を重合して、これらのナイフプレート１の取付穴３と、刈取アーム９の取付穴１１のカラー１２との間にわたって、下側から取付ボルト６を挿通して、この取付ボルト６の上端部からは、ナット１６，１７を螺合して締め付けて固定することができる。この取付ボルト６は、ボルト頭部７の付け根部分を前記ナイフプレート１の取付穴３に嵌合する角軸部１４を有して、この角軸部１４の周りに前記各取付穴３，１１にわたって取付ボルト６を挿通する。これらのボルト頭部７を、ナイフプレート１下面の取付部４面に受けさせて、この取付ボルト６の上端部に保護座金１５を介在させてダブルナット１６，１７を螺合して締め付ける。
【０００９】
刈取作用時は、ナイフプレート１の刈取り地面に沿う回転によって、芝、草、灌木類の切断刈取が行われる。この刈取作用においてナイフプレート１の底面部が刈取り地面に接近して、刈取後の草木類の刈株や、地面等に摺動して摩擦抵抗を受ける。このときこのナイフプレート１を取付けている取付ボルト６のボルト頭部７は、回転する凸条部２の後側に位置するため、直接の強い摩擦抵抗や、衝撃等を受け難く、とくに、このボルト頭部７の、ナイフプレート１の取付部４に対する圧接部分の摩擦、磨耗を少なくして、取付ボルト６のナイフプレート１の締付け、取付機能を良好に維持して耐久性を高めることができる。
【００１０】
図２に示すように、取付ボルト６のボルト頭部７を、凸条部２の後側に位置させているため、例えボルト頭部７がラインＭよりも突出していた場合でも、ボルト頭部７がラインＭよりも更に磨耗することがなく、刈刃が外れて飛散することがない。
【図面の簡単な説明】
【００１１】
【図１】ナイフプレート取付部の斜視図。
【図２】そのナイフプレート部の側断面図。
【図３】ナイフプレート部の平面図と、背面図。
【図４】乗用草刈機に使用した場合の全体側面図。
【符号の説明】
【００１２】
１    ナイフプレート
２    凸条部
３    取付穴
４    取付部
５    凹面
６    取付ボルト
７    ボルト頭部
【図１】
2009284818.tif 000003
【図２】
2009284818.tif 000004
【図３】
2009284818.tif 000005
【図４】
2009284818.tif 000006